(57)【特許請求の範囲】
【請求項１】
光源及び該光源の光を導光する導光体を備える表示装置と、表示部及び該表示部の外周側から延びる側壁を有するカバー状の操作ノブと、該操作ノブを移動可能に支持するスイッチ構造と、を備えるプッシュスイッチであって、
前記導光体は、前記操作ノブの前記表示部の裏面側で互いに積層される平板状の第１導光体及び第２導光体を備え、
前記操作ノブは、前記第１導光体及び前記第２導光体の積層方向に移動自在に支持されるとともに、前記側壁にスリット又は孔部が設けられ、
前記操作ノブが前記積層方向に移動して前記光源に対して前記第１導光体及び前記第２導光体が前記積層方向に相対的に移動することにより、前記スリット又は前記孔部を介して該第１導光体に該光源の光が導光されて前記表示部に所定の第１表示内容が表示される状態と、前記スリット又は前記孔部を介して該第２導光体に該光源の光が導光されて前記表示部に所定の第２表示内容が表示される状態と、が切り換えられることを特徴とするプッシュスイッチ。
【請求項２】
前記光源及び前記スイッチ構造のそれぞれは、基板上に実装されており、前記基板上には、一端側が前記光源に連なり且つ他端側が前記スリット又は前記孔部を介して前記導光体の端部に対向可能な導光棒が取り付けられている請求項１記載のプッシュスイッチ。
【請求項３】
前記基板上には、前記操作ノブ及び前記スイッチ構造の組が複数並設されており、前記導光棒は、一端側が単一の前記光源に連なり且つ他端側が複数の前記操作ノブに対して分岐して延びる分岐導光棒である請求項２記載のプッシュスイッチ。
【請求項４】
前記操作ノブの前記表示部の表面側又は裏面側には、前記表示部に対する入射光の一部を反射して残りの光を透過させるハーフミラー層が設けられている請求項１乃至３のいずれか一項に記載のプッシュスイッチ。
【請求項５】
前記第１導光体及び前記第２導光体は、枠状のスペーサを介して積層されている請求項１乃至４のいずれか一項に記載のプッシュスイッチ。
【発明の詳細な説明】
【技術分野】
【０００１】
本発明は、プッシュスイッチに関し、さらに詳しくは、１つの表示領域で複数の表示内容を表示することができるプッシュスイッチに関する。
【背景技術】
【０００２】
従来の車両用表示装置として、操作ノブの表面側に所定の内容を表示可能なスイッチを複数並設してなるものが知られている（例えば、特許文献１参照）。なお、上記スイッチとしては、例えば、内気／外気の切換スイッチ、空調装置のオン／オフの切換スイッチ等が挙げられる。
【先行技術文献】
【特許文献】
【０００３】
【特許文献１】特開平１０−３０９９８３号公報
【発明の概要】
【発明が解決しようとする課題】
【０００４】
しかし、上記従来の車両用表示装置では、１つのスイッチ（表示領域）で１つの表示内容のみが表示されるため、複数の表示内容を表示させる場合には、その表示数に相当する個数のスイッチが必要となり、省スペース化が図れず、また部品点数が多くなる。さらに、多数のスイッチの存在により、それぞれの表示内容を把握し難い。
【０００５】
本発明は、上記現状に鑑みてなされたものであり、１つの表示領域で複数の表示内容を表示することができるプッシュスイッチを提供することを目的とする。
【課題を解決するための手段】
【０００６】
上記問題を解決するために、請求項１に記載の発明は、光源及び該光源の光を導光する導光体を備える表示装置と、表示部及び該表示部の外周側から延びる側壁を有するカバー状の操作ノブと、該操作ノブを移動可能に支持するスイッチ構造と、を備えるプッシュスイッチであって、前記導光体は、前記操作ノブの前記表示部の裏面側で互いに積層される平板状の第１導光体及び第２導光体を備え、前記操作ノブは、前記第１導光体及び前記第２導光体の積層方向に移動自在に支持されるとともに、前記側壁にスリット又は孔部が設けられ、前記操作ノブが前記積層方向に移動して前記光源に対して前記第１導光体及び前記第２導光体が前記積層方向に相対的に移動することにより、前記スリット又は前記孔部を介して該第１導光体に該光源の光が導光されて前記表示部に所定の第１表示内容が表示される状態と、前記スリット又は前記孔部を介して該第２導光体に該光源の光が導光されて前記表示部に所定の第２表示内容が表示される状態と、が切り換えられることを要旨とする。
請求項２に記載の発明は、請求項１記載において、前記光源及び前記スイッチ構造のそれぞれは、基板上に実装されており、前記基板上には、一端側が前記光源に連なり且つ他端側が前記スリット又は前記孔部を介して前記導光体の端部に対向可能な導光棒が取り付けられていることを要旨とする。
請求項３に記載の発明は、請求項２記載において、前記基板上には、前記操作ノブ及び前記スイッチ構造の組が複数並設されており、前記導光棒は、一端側が単一の前記光源に連なり且つ他端側が複数の前記操作ノブに対して分岐して延びる分岐導光棒であることを要旨とする。
請求項４に記載の発明は、請求項１乃至３のいずれか一項の記載において、前記操作ノブの前記表示部の表面側又は裏面側には、前記表示部に対する入射光の一部を反射して残りの光を透過させるハーフミラー層が設けられていることを要旨とする。
請求項５に記載の発明は、請求項１乃至４のいずれか一項の記載において、前記第１導光体及び前記第２導光体は、枠状のスペーサを介して積層されていることを要旨とする。
【発明の効果】
【０００７】
本発明のプッシュスイッチによると、光源に対して導光体が相対的に移動することにより、導光体に光源の光が導光されて所定の内容が表示される状態と、導光体に光源の光が導光されず所定の内容が表示されない状態と、が切り換えられる。これにより、１つの表示領域で複数の表示内容を表示することができる。その結果、省スペース化及び部品点数の低減を図ることができる。さらに、表示内容を容易に把握することができる。
また、前記導光体が、互いに積層される第１導光体及び第２導光体を備えるので、光源に対して第１及び第２導光体が相対的に移動することにより、第１導光体に光源の光が導光されて所定の第１表示内容が表示される状態と、第２導光体に光源の光が導光されて所定の第２表示内容が表示される状態と、が切り換えられる。
また、共通の表示部を更に備えるので、第１導光体の所定の第１表示内容及び第２導光体の所定の第２表示内容を共通の表示部に表示することができる。
さらに、操作ノブと、スイッチ構造と、を更に備え、前記操作ノブには前記導光体が設けられ、前記スイッチ構造には前記光源が設けられている場合は、操作ノブを操作することにより、光源に対して導光体が相対的に移動されて表示内容が切り換えられる。これにより、簡易且つ小型な構造とすることができる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係るスイッチの斜視図である。
【図２】上記スイッチの分解斜視図である。
【図３】上記スイッチの平面図である。
【図４】図３のＩＶ−ＩＶ線断面図である。
【図５】上記スイッチの作用を説明するための説明図であり、（ａ）は第１導光体に光源の光が導光される状態を示し、（ｂ）は第２導光体に光源の光が導光される状態を示す。
【図６】上記スイッチの作用を説明するための説明図であり、（ａ）は第１表示内を示し、（ｂ）は第２表示内容を示す。
【図７】参考例に係るスイッチの斜視図である。
【図８】上記スイッチの分解斜視図である。
【図９】上記スイッチの平面図である。
【図１０】図９のＸ−Ｘ線断面図である。
【図１１】図９のＸＩ−ＸＩ線断面図である。
【図１２】上記スイッチの作用を説明するための説明図であり、（ａ）は第１導光体に光源の光が導光される状態を示し、（ｂ）は第２導光体に光源の光が導光される状態を示し、（ｃ）は第３導光体に光源の光が導光される状態を示す。
【図１３】他の参考例に係るスイッチの斜視図である。
【図１４】上記スイッチの分解斜視図である。
【図１５】上記スイッチの平面図である。
【図１６】図１５のＸＶＩ−ＸＶＩ線断面図である。
【図１７】図１５のＸＶＩＩ−ＸＶＩＩ線断面図である。
【図１８】上記スイッチの配設構造を説明するための説明図である。
【図１９】その他の形態のスイッチを説明するための説明図である。
【図２０】更にその他の形態のスイッチを説明するための説明図である。
【図２１】更にその他の形態のスイッチを説明するための説明図である。
【図２２】更にその他の形態のスイッチを説明するための説明図である。
【図２３】更にその他の形態のスイッチを説明するための説明図である。
【図２４】更にその他の形態のスイッチを説明するための説明図である。
【図２５】更にその他の形態のスイッチを説明するための説明図であり、（ａ）は導光体に光源の光が導光される状態を示し、（ｂ）は導光体に光源の光が導光されない状態を示す。
【発明を実施するための形態】
【０００９】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
１．表示装置
本実施形態１．に係る表示装置は、光源（５、２５、４５）と、光源の光を導光する導光体（７ａ，７ｂ、２７ａ〜２７ｃ、４７ａ〜４７ｄ、７１）と、を備える表示装置であって、光源に対して導光体が相対的に移動することにより、導光体に光源の光が導光されて所定の内容が表示される状態と、導光体に光源の光が導光されず所定の内容が表示されない状態と、が切り換えられることを特徴とする（例えば、図２、図８、図１４及び図２５等参照）。
【００１１】
上記実施形態１．に係る表示装置としては、例えば、前記導光体は、互いに積層される第１導光体及び第２導光体（７ａ，７ｂ、２７ａ，２７ｂ、４７ａ，４７ｂ）を備え、光源に対して第１導光体及び第２導光体が相対的に移動することにより、第１導光体に光源の光が導光されて所定の第１表示内容が表示される状態と、第２導光体に光源の光が導光されて所定の第２表示内容が表示される状態と、が切り換えられる形態を挙げることができる（例えば、図２、図８及び図１４等参照）。この場合、通常、光源に対して第１導光体及び第２導光体が相対的に移動することにより、第１導光体に光源の光が導光されて所定の第１表示内容が表示され且つ第２導光体に光源の光が導光されず所定の第２表示内容が表示されない状態と、第１導光体に光源の光が導光されず所定の第１表示内容が表示されず且つ第２導光体に光源の光が導光されて所定の第２表示内容が表示される状態と、が切り換えられる。
【００１２】
上記実施形態１．に係る表示装置としては、例えば、上記第１導光体の所定の第１表示内容及び第２導光体の所定の第２表示内容を表示する共通の表示部（３ａ、２３ａ、４３ａ）を更に備える形態を挙げることができる（例えば、図２、図８及び図１４等参照）。
【００１３】
ここで、上記実施形態１．の表示装置としては、例えば、導光体には、導光体の端部から入射する光源の光を導光体の表面側に向かって反射する反射面を有する複数の凹部（８、２８、４８）が設けられている形態を挙げることができる（例えば、図４、図１１、図１７及び図２５等参照）。これにより、導光体の表示内容を鮮明に表示させることができる。なお、上記「表示内容」としては、例えば、図柄、文字、記号、模様、色等のうちの１種又は２種以上の組み合わせを挙げることができる。
【００１４】
２．スイッチ
本実施形態２．に係るスイッチは、上記実施形態１．の表示装置を備えることを特徴とする。このスイッチとしては、例えば、プッシュスイッチ（タクトスイッチ、押しボタンスイッチなども含む。）、スライドスイッチ、ロータリースイッチ等を挙げることができる。
【００１５】
上記実施形態２．のスイッチとしては、例えば、操作ノブ（３、２３、４３）と、操作ノブを移動可能に支持するスイッチ構造（４、２４、４４）と、を更に備え、操作ノブには導光体が設けられ、スイッチ構造には光源が設けられている形態を挙げることができる（例えば、図２、図８、図１４及び図２５等参照）。この場合、操作ノブに導光体が直接的に設けられていてもよいし、他の部材を介して設けられていてもよい。また、スイッチ構造に光源が直接的に設けられていてもよいし、他の部材（例えば、基板等）を介して設けられていてもよい。
【００１６】
上述の形態の場合、例えば、上記スイッチ構造は、固定接点及び可動接点を内蔵する本体（１３、３３、５３）と、各接点を接触・離反させるように本体に対して移動可能に支持された操作部（１４、３４、５４）と、を有し、カバー状の上記操作ノブに設けられた表示部（３ａ、２３ａ、４３ａ）の裏面側に平板状の導光体が設けられ、この最裏側の導光体の裏面側に操作部に係合する係合部（９ａ、２９ａ、４９ａ）を有する係合部材（９、２９、４９）が設けられていることができる（例えば、図２、図８、図１４及び図２５等参照）。これにより、更に簡易且つ小型な構造とすることができる。
【００１７】
なお、上記実施形態２．のスイッチの配設構造としては、例えば、複数のスイッチが並設されており、各スイッチと光源との間には、一端側が光源に連なり且つ他端側が分岐して延びて各スイッチの導光体に連なる分岐導光棒（６０）が設けられている形態を挙げることができる（例えば、図１８等参照）。これにより、１つの光源で複数のスイッチでの表示を実現でき、更なる省スペース化及び部品点数の低減化を図ることができる。
【実施例】
【００１８】
以下、図面を用いて実施例１により本発明を具体的に説明する。
【００１９】
＜実施例１＞
（１）スイッチの構成
本実施例１に係るスイッチ１は、図１〜図４に示すように、プッシュ式のスイッチであり、表示装置２（図２参照）、操作ノブ３及びスイッチ構造４を備えている。
【００２０】
上記表示装置２は、発光ダイオードである光源５と、この光源５の光を導光し且つ互いに積層された第１導光体７ａ及び第２導光体７ｂと、を備えている。これら各導光体７ａ，７ｂは、透明又は半透明樹脂製であり、平板状に形成されている。また、各導光体７ａ，７ｂには、各導光体７ａ，７ｂの表面側に向かって各表示内容Ａ１，Ａ２（図６（ａ）（ｂ）参照）を照明するように、各導光体７ａ，７ｂの端部から入射する光源５の光を各導光体７ａ，７ｂの表面側に向かって反射する反射面を有する複数の凹部８が設けられている（図４参照）。なお、各導光体７ａ，７ｂの板厚は、スイッチ構造４の後述する操作部の移動ストロークに応じた寸法に設定されている。
【００２１】
上記操作ノブ３は、透明又は半透明樹脂製であり、カバー状に形成されている。この操作ノブ３の表面側には、各導光体７ａ，７ｂの表面側に向かって照明される各表示内容Ａ１，Ａ２を表示可能な表示部３ａが設けられている。この操作ノブ３の表示部３ａの裏面側には第１及び第２導光体７ａ，７ｂが積層されている。この最裏側の第１導光体７ａの裏面側には、スイッチ構造４の後述する操作部に係合する係合部９ａを有する板状の係合部材９が積層されている。また、操作ノブ３の側壁には、後述する導光棒１７の光を各導光体７ａ，７ｂに導光するための一対のスリット１０ａ，１０ｂが形成されている。
【００２２】
上記スイッチ構造４は、基板１２上に実装されている。このスイッチ構造４は、固定接点及び可動接点（図示省略）を内蔵する本体１３と、各接点を接触・離反させるように本体１３に対して各導光体７ａ，７ｂの積層方向に移動可能に支持される操作部１４と、を有している。この基板１２上には本体１３の近傍に上記光源５が実装されている。また、基板１２上には、本体１３の周囲を覆うように操作部１４のガイド機能を発揮するカバー１５が取り付けられている。また、本体１３には、操作部１４が押圧された位置でその状態を保持するロック機構（図示省略）が内蔵されている。そして、操作ノブ３は、第１位置Ｐ１（図５（ａ）参照）と、この第１位置Ｐ１に対して各導光体７ａ，７ｂの積層方向に離間した第２位置Ｐ２（図５（ｂ）参照）と、の間で移動され各位置Ｐ１，Ｐ２で位置保持されるようになっている。
【００２３】
上記基板１２上には、光源５の光を各導光体７ａ，７ｂに導光させるための導光棒１７が取り付けられている。この導光棒１７の一端側は、光源５に連なり、導光棒１７の他端側は、操作ノブ３が第１位置Ｐ１に位置するときにスリット１０ａを介して第１導光体７ａの端部に対向し、操作ノブ３が第２位置Ｐ２に位置するときにスリット１０ｂを介して第２導光体７ｂの端部に対向するようになっている。
【００２４】
（２）スイッチの作用
次に、上記構成のスイッチ１の作用について説明する。操作ノブ３が第１位置Ｐ１に位置する状態では、図５（ａ）に示すように、導光棒１７を介して光源５の光が第１導光体７ａに導光され、凹部８の反射作用により操作ノブ３の表示部３ａに第１の表示内容Ａ１（図６（ａ）参照）が表示される。また、操作ノブ３の押圧操作により、操作ノブ３が第１位置Ｐ１から第２位置Ｐ２に移動すると、図５（ｂ）に示すように、導光棒１７を介して光源５の光が第２導光体７ｂに導光され、凹部８の反射作用により操作ノブ３の表示部３ａに第２の表示内容Ａ２（図６（ｂ）参照）が表示される。
【００２５】
（３）実施例の効果
以上より、本実施例のスイッチ１によると、光源５に対して第１及び第２導光体７ａ，７ｂが相対的に移動することにより、第１導光体７ａに光源５の光が導光されて所定の第１表示内容Ａ１が表示される状態と、第２導光体７ｂに光源５の光が導光されて所定の第２表示内容Ａ２が表示される状態と、が切り換えられる。これにより、１つの表示領域で複数の表示内容を表示することができる。その結果、省スペース化及び部品点数の低減を図ることができる。さらに、表示内容を把握し易い。特に、本実施例では、１つの光源５で複数の表示内容を表示するようにしたので、更なる省スペース化及び部品点数の低減化を図ることができる。
【００２６】
また、本実施例では、プッシュスイッチ１を、表示装置２と、操作ノブ３と、スイッチ構造４と、を備えて構成し、操作ノブ３に各導光体７ａ，７ｂを設け、スイッチ構造４に光源５を設けたので、操作ノブ３を押圧操作することにより、光源５に対して導光体７ａ，７ｂが移動されて表示内容が切り換えられる。これにより、簡易且つ小型な構造とすることができる。
【００２７】
さらに、本実施例では、スイッチ構造４を、固定接点及び可動接点を内蔵する本体１３と、各接点を接触・離反させるように本体１３に対して移動可能に支持された操作部１４と、を有して構成し、カバー状の操作ノブ３に設けられる表示部３ａの裏面側に平板状の第１及び第２導光体７ａ，７ｂを積層して設け、この最裏側の第１導光体７ａの裏面側に操作部１４に係合する係合部９ａを有する係合部材９を設けたので、更に簡易且つ小型な構造とすることができる。
【００２８】
＜参考例＞
（１）スイッチの構成
本参考例に係るスイッチ２１は、図７〜図１１に示すように、スライド式のスイッチであり、表示装置２２（図８参照）、操作ノブ２３及びスイッチ構造２４を備えている。
【００２９】
上記表示装置２２は、発光ダイオードである光源２５と、この光源２５の光を導光し且つ互いに積層される第１〜第３導光体２７ａ〜２７ｃと、を備えている。これら各導光体２７ａ〜２７ｃは、透明又は半透明樹脂製であり、平板状に形成されている。また、各導光体２７ａ〜２７ｃには、各導光体２７ａ〜２７ｃの表面側に向かって各表示内容を照明するように、各導光体２７ａ〜２７ｃの端部から入射する光源２５の光を各導光体２７ａ〜２７ｃの表面側に向かって反射する反射面を有する複数の凹部２８が設けられている（図１１参照）。
【００３０】
上記操作ノブ２３は、透明又は半透明樹脂製であり、カバー状に形成されている。この操作ノブ２３の表面側には、各導光体２７ａ〜２７ｃの表面側に向かって照明される各表示内容を表示可能な表示部２３ａが設けられている。この操作ノブ２３の表示部２３ａの裏面側には第１〜第３導光体２７ａ〜２７ｃが積層されている。この最裏側の第１導光体２７ａの裏面側には、スイッチ構造２４の後述する操作部３４に係合する係合部２９ａを有する板状の係合部材２９が積層されている。
【００３１】
上記スイッチ構造２４は、基板３２上に実装されている。このスイッチ構造２４は、固定接点及び可動接点（図示省略）を内蔵する本体３３と、各接点を接触・離反させるように本体３３に対して各導光体２７ａ〜２７ｃの積層方向と略直交する方向にスライド可能に支持された操作部３４と、を有している。この基板３２上には本体３３の近傍に上記光源２５が実装されている。また、本体３３には、操作部３４がスライドされた所定の３位置でその状態を保持するロック機構（図示省略）が設けられている。そして、操作ノブ２３は、第１位置Ｑ１（図１２（ａ）参照）と、この第１位置Ｑ１に対して各導光体２７ａ〜２７ｃの積層方向と直交する方向に離間した第２位置Ｑ２（図１２（ｂ）参照）と、第２位置Ｑ２に対して各導光体２７ａ〜２７ｃの積層方向と直交する方向に離間した第３位置Ｑ３（図１２（ｃ）参照）と、の間で移動され各位置Ｑ１〜Ｑ３で位置保持されるようになっている。
【００３２】
上記各導光体２７ａ〜２７ｃの側縁側には、光源２５の光を各導光体２７ａ〜２７ｃに導光させるための棒状の導光部３５ａ〜３５ｃが基板３２側に向かって延設されている。そして、操作ノブ２３が第１位置Ｑ１に位置するときに第１導光体２７ａの導光部３５ａの一端側が光源２５に連なり、操作ノブ２３が第２位置Ｑ２に位置するときに第２導光体２７ｂの導光部３５ｂの一端側が光源２５に連なり、操作ノブ２３が第３位置Ｑ３に位置するときに第３導光体２７ｃの導光部３５ｃの一端側が光源２５に連なるようになっている。
【００３３】
（２）スイッチの作用
次に、上記構成のスイッチ２１の作用について説明する。操作ノブ２３が第１位置Ｑ１に位置する状態では、図１２（ａ）に示すように、導光部３５ａを介して光源２５の光が第１導光体２７ａに導光され、凹部２８の反射作用により操作ノブ２３の表示部２３ａに第１の表示内容が表示される。また、操作ノブ２３のスライド操作により、操作ノブ２３が第１位置Ｑ１から第２位置Ｑ２に移動すると、図１２（ｂ）に示すように、導光部３５ｂを介して光源２５の光が第２導光体２７ｂに導光され、凹部２８の反射作用により操作ノブ２３の表示部２３ａに第２の表示内容が表示される。さらに、操作ノブ２３のスライド操作により、操作ノブ２３が第２位置Ｑ２から第３位置Ｑ３に移動すると、図１２（ｃ）に示すように、導光部３５ｃを介して光源２５の光が第３導光体２７ｃに導光され、凹部２８の反射作用により操作ノブ２３の表示部２３ａに第３の表示内容が表示される。
【００３４】
（３）参考例の効果
以上より、本参考例のスイッチ２１によると、光源２５に対して第１〜第３導光体２７ａ〜２７ｃが相対的に移動することにより、第１導光体２７ａに光源２５の光が導光されて所定の第１表示内容が表示される状態と、第２導光体２７ｂに光源２５の光が導光されて所定の第２表示内容が表示される状態と、第３導光体２７ｃに光源２５の光が導光されて所定の第３表示内容が表示される状態と、が切り換えられる。これにより、１つの表示領域で複数の表示内容を表示することができる。その結果、省スペース化及び部品点数の低減を図ることができる。さらに、表示内容を把握し易い。特に、本参考例では、１つの光源２５で複数の表示内容を表示するようにしたので、更なる省スペース化及び部品点数の低減化を図ることができる。
【００３５】
また、本参考例では、スライドスイッチ２１を、表示装置２２と、操作ノブ２３と、スイッチ構造２４と、を備えて構成し、操作ノブ２３に各導光体２７ａ〜２７ｃを設け、スイッチ構造２４に光源２５を設けたので、操作ノブ２３をスライド操作することにより、光源２５に対して導光体２７ａ〜２７ｃが移動されて表示内容が切り換えられる。これにより、簡易且つ小型な構造とすることができる。
【００３６】
さらに、本参考例では、スイッチ構造２４を、固定接点及び可動接点を内蔵する本体３３と、各接点を接触・離反させるように本体３３に対して移動可能に支持された操作部３４と、を有して構成し、カバー状の操作ノブ２３に設けられる表示部２３ａの裏面側に平板状の第１〜第３導光体２７ａ〜２７ｃを積層して設け、この最裏側の第１導光体２７ａの裏面側に操作部３４に係合する係合部２９ａを有する係合部材２９を設けたので、更に簡易且つ小型な構造とすることができる。
【００３７】
＜他の参考例＞
（１）スイッチの構成
本参考例に係るスイッチ４１は、図１３〜図１７に示すように、ロータリー式のスイッチであり、表示装置４２（図１４参照）、操作ノブ４３及びスイッチ構造４４を備えている。
【００３８】
上記表示装置４２は、発光ダイオードである光源４５と、この光源４５の光を導光し且つ互いに積層される第１〜第４導光体４７ａ〜４７ｄと、を備えている。これら各導光体４７ａ〜４７ｄは、透明又は半透明樹脂製であり、平板状に形成されている。また、各導光体４７ａ〜４７ｄには、各導光体４７ａ〜４７ｄの表面側に向かって各表示内容を照明するように、各導光体４７ａ〜４７ｄの端部から入射する光源４５の光を各導光体４７ａ〜４７ｄの表面側に向かって反射する反射面を有する複数の凹部４８が設けられている（図１７参照）。
【００３９】
上記操作ノブ４３は、透明又は半透明樹脂製であり、カバー状に形成されている。この操作ノブ４３の表面側には、各導光体４７ａ〜４７ｄの表面側に向かって照明される各表示内容を表示可能な表示部４３ａが設けられている。この操作ノブ４３の表示部４３ａの裏面側には第１〜第４導光体４７ａ〜４７ｄが積層されている。この最裏側の第１導光体４７ａの裏面側には、スイッチ構造４４の後述する操作部に係合する係合部４９ａを有する板状の係合部材４９が積層されている。
【００４０】
上記スイッチ構造４４は、基板５２上に実装されている。このスイッチ構造４４は、固定接点及び可動接点（図示省略）を内蔵する本体５３と、各接点を接触・離反させるように本体５３に対して各導光体４７ａ〜４７ｄの積層方向に沿う軸回りに回動可能に支持される操作部５４と、を有している。この基板５２上には本体５３の近傍に上記光源４５が実装されている。また、本体５３には、操作部５４が回動された所定の４位置でその状態を保持するロック機構（図示省略）が設けられている。そして、操作ノブ４３は、第１位置と、この第１位置から反時計回りに略９０度回転された第２位置と、第２位置から反時計回りに略９０度回転された第３位置と、第３位置から反時計回りに略９０度回転された第４位置と、の間で回動され各位置で位置保持されるようになっている。
【００４１】
上記各導光体４７ａ〜４７ｄの側縁側には、光源４５の光を各導光体４７ａ〜４７ｄに導光させるための棒状の導光部５５ａ〜５５ｄが基板５２側に向かって延設されている。そして、操作ノブ４３が第１位置に位置するときに第１導光体４７ａの導光部５５ａの一端側が光源４５に連なり、操作ノブ４３が第２位置に位置するときに第２導光体４７ｂの導光部５５ｂの一端側が光源４５に連なり、操作ノブ４３が第３位置に位置するときに第３導光体４７ｃの導光部５５ｃの一端側が光源４５に連なり、操作ノブ４３が第４位置に位置するときに第４導光体４７ｄの導光部５５ｄの一端側が光源４５に連なるようになっている。
【００４２】
（２）スイッチの作用
次に、上記構成のスイッチ４１の作用について説明する。操作ノブ４３が第１位置に位置する状態では、導光部５５ａを介して光源４５の光が第１導光体４７ａに導光され、凹部４８の反射作用により操作ノブ４３の表示部４３ａに第１の表示内容が表示される。また、操作ノブ４３の回動操作により、操作ノブ４３が第１位置から第２位置に回動すると、導光部５５ｂを介して光源４５の光が第２導光体４７ｂに導光され、凹部４８の反射作用により操作ノブ４３の表示部４３ａに第２の表示内容が表示される。
【００４３】
また、操作ノブ４３の回動操作により、操作ノブ４３が第２位置から第３位置に回動すると、導光部５５ｃを介して光源４５の光が第３導光体４７ｃに導光され、凹部４８の反射作用により操作ノブ４３の表示部４３ａに第３の表示内容が表示される。さらに、操作ノブ４３の回動操作により、操作ノブ４３が第３位置から第４位置に回動すると、導光部５５ｄを介して光源４５の光が第４導光体４７ｄに導光され、凹部４８の反射作用により操作ノブ４３の表示部４３ａに第４の表示内容が表示される。
【００４４】
（３）参考例の効果
以上より、本参考例のスイッチ４１によると、光源４５に対して第１〜第４導光体４７ａ〜４７ｄが相対的に移動することにより、第１導光体４７ａに光源４５の光が導光されて所定の第１表示内容が表示される状態と、第２導光体４７ｂに光源４５の光が導光されて所定の第２表示内容が表示される状態と、第３導光体４７ｃに光源４５の光が導光されて所定の第３表示内容が表示される状態と、第４導光体４７ｄに光源４５の光が導光されて所定の第４表示内容が表示される状態と、が切り換えられる。これにより、１つの表示領域で複数の表示内容を表示することができる。その結果、省スペース化及び部品点数の低減を図ることができる。さらに、表示内容を把握し易い。特に、本参考例では、１つの光源４５で複数の表示内容を表示するようにしたので、更なる省スペース化及び部品点数の低減化を図ることができる。
【００４５】
また、本参考例では、ロータリースイッチ４１を、表示装置４２と、操作ノブ４３と、スイッチ構造４４と、を備えて構成し、操作ノブ４３に各導光体４７ａ〜４７ｄを設け、スイッチ構造４４に光源４５を設けたので、操作ノブ４３を回動操作することにより、光源４５に対して導光体４７ａ〜４７ｄが移動されて表示内容が切り換えられる。これにより、簡易且つ小型な構造とすることができる。
【００４６】
さらに、本参考例では、スイッチ構造４４を、固定接点及び可動接点を内蔵する本体５３と、各接点を接触・離反させるように本体５３に対して移動可能に支持された操作部５４と、を有して構成し、カバー状の操作ノブ４３に設けられる表示部４３ａの裏面側に平板状の第１〜第４導光体４７ａ〜４７ｄを積層して設け、この最裏側の第１導光体４７ａの裏面側に操作部５４に係合する係合部４９ａを有する係合部材４９を設けたので、更に簡易且つ小型な構造とすることができる。
【００４７】
尚、本発明においては、上記実施例１に限られず、目的、用途に応じて本発明の範囲内で種々変更した実施例とすることができる。すなわち、上記実施例１において、例えば、図１８に示すように、複数のスイッチ１（２１、４１）を並設し、各スイッチと光源５（２５、４５）との間に、一端側が光源に連なり且つ他端側が分岐して延びて各スイッチの導光体７ａ，７ｂ（２７ａ〜２７ｃ、４７ａ〜４７ｄ）に連なる分岐導光棒６０を設けるようにしてもよい。なお、この場合、同種のスイッチを並設してもよいし、異種のスイッチを並設してもよい。
【００４８】
また、上記実施例１では、透明又は半透明樹脂製の操作ノブ３の表面側を表示部３ａとする形態を例示したが、これに限定されず、例えば、図１９に示すように、操作ノブ３の表面側に孔部６１を形成し、その孔部６１に透明又は半透明樹脂製の表示板６２（表示部）を設けるようにしてもよい。
【００４９】
また、上記実施例１において、例えば、図２０に示すように、操作ノブ３（２３、４３）の表示部３ａ（２３ａ、４３ａ）の表面側又は裏面側に、入射光の一部を反射して残りの光を透過させるハーフミラー層６３を設けるようにしてもよい。これにより、非表示状態において導光体等の内部構造が見えてしまうことを抑制できる。
【００５０】
また、上記実施例１では、各導光体７ａ，７ｂ、２７ａ〜２７ｃ、４７ａ〜４７ｄを直接的に積層するようにしたが、これに限定されず、例えば、図２１に示すように、各導光体７ａ，７ｂ（２７ａ〜２７ｃ、４７ａ〜４７ｄ）を枠状のスペーサ６４を介して積層するようにしてもよい。これにより、各導光体を離間させることにより、各導光体の表示内容の混ざりを抑制できる。
【００５１】
また、上記実施例１では、操作ノブ３の側壁に一対のスリット１０ａ，１０ｂを形成するようにしたが、これに限定されず、例えば、図２２に示すように、操作ノブ３の側壁に孔部６５ａを設け、各導光体７ａ，７ｂの側面に、各導光体の表示内容の混ざりを抑制する塗装層又はシール層６５ｂを設けるようにしてもよい。
【００５２】
また、上記実施例１では、導光棒１７を介して基板１２上の光源５の光を導光体７ａ，７ｂに導光するようにしたが、これに限定されず、例えば、図２３に示すように、基板１２とは別に設けた基板６６上に光源５を設け、この光源５の光を直接的に各導光体７ａ，７ｂに導光するようにしてもよい。
【００５３】
また、上記実施例１では、基板１２、３２、５２上に光源５、２５、４５を実装するようにしたが、これに限定されず、例えば、図２４に示すように、基板１２（３２、５２）上にベース部材６７を設け、このベース部材６７に光源５（２５、４５）を取り付けるようにしてもよい。これにより、ベース部材６７で光源の取り付け位置が底上げされるため、導光棒６８の長さを短くして輝度を高めることができる。
【００５４】
また、上記実施例１では、複数の導光体７ａ，７ｂ、２７ａ〜２７ｃ、４７ａ〜４７ｄを備える形態を例示したが、これに限定されず、例えば、図２５に示すように、操作ノブ３（２３、４３）の表示部３ａ（２３ａ、４３ａ）の裏面側に単一の導光体７１のみを設け、操作ノブ３（２３、４３）の操作により光源５（２５、４５）に対して導光体７１が相対的に移動され、導光体７１に光源５（２５、４５）の光が導光されて所定の内容が表示される状態（図２５（ａ）参照）と、導光体７１に光源５（２５、４５）の光が導光されず所定の内容が表示されない状態（図２５（ｂ）参照）と、が切り換えられるように構成してもよい。この場合、例えば、操作ノブ３（２３、４３）の表示部３ａ（２３ａ、４３ａ）の表面側又は裏面側に、入射光の一部を反射して残りの光を透過させるハーフミラー層７２を設けることができる。これにより、表示内容が出現するスイッチを構成できる。なお、上記形態において実施例１の構成部位と略同じ構成部位には同符号を付けて詳説を省略する。
【００５５】
また、上記実施例１において、各導光体７ａ，７ｂ、２７ａ〜２７ｃ、４７ａ〜４７ｄに異なる色（例えば、乳白色、青、赤、緑等）を加色して構成すれば、操作ノブ３、２３、４３の操作により照明色を変えることができ、１つの光源５、２５、４５で多彩な表示照明を実現できる。
【００５６】
また、上記実施例１において、表示内容の異なる導光体７ａ，７ｂ、２７ａ〜２７ｃ、４７ａ〜４７ｄを予め複数用意しておけば、仕様等に応じて導光体を変えることで、多彩な表示照明に対応できる。
【００５７】
また、上記実施例１では、操作ノブ３、２３、４３に導光体７ａ，７ｂ、２７ａ〜２７ｃ、４７ａ〜４７ｄを設け、スイッチ構造４、２４、４４に光源５、２５、４５を設けるようにしたが、これに限定されず、例えば、操作ノブに光源を設け、スイッチ構造に導光体を設けるようにしてもよい。
【００５８】
また、上記実施例１では、１つの光源５、２５、４５の光を１つの導光体７ａ，７ｂ、２７ａ〜２７ｃ、４７ａ〜４７ｄに導光させるようにしたが、これに限定されず、例えば、複数の光源の光を同時に１つの導光体に導光させるようにしてもよい。
【００５９】
また、上記実施例１では、表示装置２、２２、４２を備えるスイッチ１、２１、４１を例示したが、これに限定されず、例えば、表示装置２、２２、４２を備える車両室内灯やダッシュボード構造としたり、表示装置２、２２、４２を備えるインサイドハンドルのロック表示構造としたりしてもよい。これらの場合、例えば、支持部及び支持部に支持される可動部材のうちの一方側に光源５、２５、４５を設け、他方側に導光体７ａ，７ｂ、２７ａ〜２７ｃ、４７ａ〜４７ｄを設けることができる。
【００６０】
また、上記実施例１では、光源として発光ダイオードを例示したが、これに限定されず、例えば、白熱電球等のバルブ、蛍光灯、エレクトロルミネセンスライト等を採用してもよい。
【００６１】
また、上記実施例１では、平板状の導光体７ａ，７ｂ、２７ａ〜２７ｃ、４７ａ〜４７ｄを例示したが、これに限定されず、例えば、棒状の導光体としてもよい。また、導光体の材質としては、例えば、アクリル樹脂、ポリカーボネート樹脂、シリコン樹脂、シクロポリオレフィン樹脂などの合成樹脂の他に、ガラスなどを挙げることができる。
【００６２】
さらに、上記実施例１では、２つの導光体７ａ，７ｂを備えるプッシュスイッチ１を例示したが、これに限定されず、例えば、３つ以上の導光体を備えるプッシュスイッチとしてもよい。また、上記参考例では、３つの導光体２７ａ〜２７ｃを備えるスライドスイッチ２１を例示したが、これに限定されず、例えば、２つの導光体を備えたり、４つ以上の導光体を備えたりするスライドスイッチとしてもよい。さらに、上記他の参考例では、４つの導光体４７ａ〜４７ｄを備えるロータリースイッチ４１を例示したが、これに限定されず、例えば、２又は３つの導光体を備えたり、５つ以上の導光体を備えたりするロータリースイッチとしてもよい。
【００６３】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００６４】
本発明は上記で詳述した実施形態に限定されず、本発明の請求項に示した範囲で様々な変形または変更が可能である。
【産業上の利用可能性】
【００６５】
表示内容を表示する技術として広く利用される。特に、乗用車、バス、トラック等の他、列車、汽車等の鉄道車両、建設車両、農業車両、産業車両などの車両室内で用いられる表示技術として好適に利用される。
【符号の説明】
【００６６】
１，２１，４１；スイッチ、２，２２，４２；表示装置、３，２３，４３；操作ノブ、４，２４，４４；スイッチ構造、５，２５，４５；光源、７ａ，７ｂ、２７ａ〜２７ｃ、４７ａ〜４７ｄ；導光体、Ａ１；第１表示内容、Ａ２；第２表示内容。
【図１】
0005521997.tif 000002
【図２】
0005521997.tif 000003
【図３】
0005521997.tif 000004
【図４】
0005521997.tif 000005
【図５】
0005521997.tif 000006
【図６】
0005521997.tif 000007
【図７】
0005521997.tif 000008
【図８】
0005521997.tif 000009
【図９】
0005521997.tif 000010
【図１０】
0005521997.tif 000011
【図１１】
0005521997.tif 000012
【図１２】
0005521997.tif 000013
【図１３】
0005521997.tif 000014
【図１４】
0005521997.tif 000015
【図１５】
0005521997.tif 000016
【図１６】
0005521997.tif 000017
【図１７】
0005521997.tif 000018
【図１８】
0005521997.tif 000019
【図１９】
0005521997.tif 000020
【図２０】
0005521997.tif 000021
【図２１】
0005521997.tif 000022
【図２２】
0005521997.tif 000023
【図２３】
0005521997.tif 000024
【図２４】
0005521997.tif 000025
【図２５】
0005521997.tif 000026